(57)【要約】【課題】深い暗闇の夜釣りでも、魚を取り込む取込網とその近くにいる魚を確実に確認することができるたも網を提供することである。【解決手段】伸縮する柄部２の先端に連結具３を介して取込網１を取り付け、連結具３の前向きの段差面３ａに、取込網１が取り付けられた前方を照明する照明器具５を取り付け、その電源となる乾電池６との接続を、柄部２が伸長されたときに自動的に入、柄部２が縮められたときに自動的に切とするスイッチ８を設けることにより、両手が塞がった状態で取込網１に魚を取り込む際に、柄部２が伸長されたときに照明器具５が自動的に点灯されて、取込網１が取り付けられた部位の近傍を照明するようにし、深い暗闇の夜釣りでも、取込網１とその近くにいる魚を確実に確認できるようにした。【選択図】図２
2010011763.tif 000002
【特許請求の範囲】
【請求項１】
複数のパイプ部材を連結して形成した柄部の先端に取込網を取り付け、前記連結される複数のパイプ部材を先端側のものほど細径として、順次その直ぐ後側のパイプ部材にスライド自在に内嵌し、これらの内嵌された各パイプ部材を前方に繰り出して柄部を伸長するたも網において、前記柄部の先端側に、前記取込網が取り付けられた部位の近傍を照明する照明器具を設け、この照明器具の電源を、前記柄部が伸長されたときに自動的に入、柄部が縮められたときに自動的に切とするスイッチ手段を設けたことを特徴とするたも網。
【請求項２】
前記取込網を、前方を向く段差面が設けられた前後方向で上下の段差を有する連結具を介して、この連結具の後端側の上部に前記柄部を連結し、前記段差面の下側で前方に張り出す前端側に前記取込網を連結するように、前記柄部の先端に取り付け、前記前方を向く段差面に、前記照明器具を前記取込網に向けて設けた請求項１に記載のたも網。
【請求項３】
前記柄部または連結具に、電源が手動スイッチで入切されるパイロットランプを取り付けた請求項１または２に記載のたも網。
【発明の詳細な説明】
【技術分野】
【０００１】
本発明は、柄部が伸縮されるたも網に関する。
【背景技術】
【０００２】
たも網には柄部の短いものと長いものとがあり、柄部の長いたも網は、手を伸ばしても先端の取込網が水際に届かないような釣り場で使用される。この柄部の長いたも網には、柄部が複数のパイプ部材を連結して形成され、これらのパイプ部材が先端側のものほど細径とされて、順次その直ぐ後側のパイプ部材にスライド自在に内嵌され、内嵌された各パイプ部材が前方に繰り出されて柄部が伸長されるものがある（例えば、特許文献１参照）。
【０００３】
一方、暗闇中で夜釣りをする場合は、懐中電灯等の照明器具を携行し、照明器具を点灯して、釣り糸を結んだり、仕掛けをしたりする釣りの準備をしている。準備が完了して釣りをするときは、魚に警戒心を持たせないように、照明器具を消している。これは、ほとんどの魚が夜行性で、夜は岸近くまで近づいているからである。
【０００４】
通常、釣り竿に魚が掛かったときは、一方の手に釣り竿、他方の手にたも網を持って、その先端の取込網に魚を取り込むようにしているが、暗闇中の夜釣りでは、両手が塞がった状態で照明器具を点灯することができない。このため、暗闇中で魚を取り込む取込網が何処にあるのか分からず、掛かった魚が何処にいるかも分からないので、試行錯誤で取込網に魚を取り込むために手間がかかる問題がある。このような問題に対して、取込網の周囲またはその近傍を蛍光物質で発光可能としたたも網が提案されている（例えば、特許文献２参照）。
【０００５】
【特許文献１】特許第３６９６５７７号公報
【特許文献２】実開平５−８５２５５号公報
【発明の開示】
【発明が解決しようとする課題】
【０００６】
特許文献２に記載されたたも網は、月光等の微弱光がある場合は、蛍光物質の発光によって魚を取り込む取込網が何処にあるか確認できるが、新月や曇天のときのような深い暗闇の夜釣りでは、蛍光物質がほとんど発光せず、取込網の目視による確認が困難な問題がある。また、蛍光物質の発光は微弱であるので、例え取込網を確認できたとしても、取込網の近くにいる掛かった魚は確認し難い問題もある。これらの取込網と魚の確認は、柄部の長いたも網ではより困難になる。
【０００７】
そこで、本発明の課題は、深い暗闇の夜釣りでも、魚を取り込む取込網とその近くにいる魚を確実に確認することができるたも網を提供することである。
【課題を解決するための手段】
【０００８】
上記の課題を解決するために、本発明は、複数のパイプ部材を連結して形成した柄部の先端に取込網を取り付け、前記連結される複数のパイプ部材を先端側のものほど細径として、順次その直ぐ後側のパイプ部材にスライド自在に内嵌し、これらの内嵌された各パイプ部材を前方に繰り出して柄部を伸長するたも網において、前記柄部の先端側に、前記取込網が取り付けられた部位の近傍を照明する照明器具を設け、この照明器具の電源を、前記柄部が伸長されたときに自動的に入、柄部が縮められたときに自動的に切とするスイッチ手段を設けた構成を採用した。
【０００９】
すなわち、柄部の先端側に、取込網が取り付けられた部位を照明する照明器具を取り付け、この照明器具の電源を、柄部が伸長されたときに自動的に入、柄部が縮められたときに自動的に切とするスイッチ手段を設けることにより、両手が塞がった状態で取込網に魚を取り込む際に、柄部が伸長されたときに照明器具が自動的に点灯されて、取込網が取り付けられた部位の近傍を照明するようにし、深い暗闇の夜釣りでも、取込網とその近くにいる魚を確実に確認できるようにした。
【００１０】
前記取込網を、前方を向く段差面が設けられた前後方向で上下の段差を有する連結具を介して、この連結具の後端側の上部に前記柄部を連結し、前記段差面の下側で前方に張り出す前端側に前記取込網を連結するように、前記柄部の先端に取り付け、前記前方を向く段差面に、前記照明器具を前記取込網に向けて設けることにより、取込網の近傍をより明るく照明することができる。また、取込網の取り付け位置が柄部の軸心から下方へずれ、その重心も柄部の軸心から下方へずれるので、取込網の開口部を形成する枠を自然に水平に保つこともできる。
【００１１】
前記柄部または連結具に、電源が手動スイッチで入切されるパイロットランプを取り付けることにより、たも網を使用する際に、暗闇中に置かれたたも網を容易に見付けることができる。
【発明の効果】
【００１２】
本発明のたも網は、柄部の先端側に、取込網が取り付けられた部位を照明する照明器具を取り付け、この照明器具の電源を、柄部が伸長されたときに自動的に入、柄部が縮められたときに自動的に切とするスイッチ手段を設けたので、深い暗闇の夜釣りでも、取込網とその近くにいる魚を確実に確認することができ、掛かった魚を速やかに取込網に取り込むことができる。
【００１３】
前記取込網を、前方を向く段差面が設けられた前後方向で上下の段差を有する連結具を介して、この連結具の後端側の上部に柄部を連結し、段差面の下側で前方に張り出す前端側に取込網を連結するように、柄部の先端に取り付け、前方を向く段差面に、照明器具を取込網に向けて設けることにより、取込網の近傍をより明るく照明することができる。また、取込網の重心が柄部の軸心から下方へずれるので、取込網の開口部を形成する枠を自然に水平に保つこともできる。
【００１４】
前記柄部または連結具に、電源が手動スイッチで入切されるパイロットランプを取り付けることにより、たも網を使用する際に、暗闇中に置かれたたも網を容易に見付けることができる。
【発明を実施するための最良の形態】
【００１５】
以下、図面に基づき、本発明の実施形態を説明する。このたも網は、図１に示すように、取込網１が柄部２の先端に連結具３を介して取り付けられ、柄部２が先端側ほど細径とされた４本のパイプ部材２ａ、２ｂ、２ｃ、２ｄを連結して形成され、先端側の３本のパイプ部材２ａ、２ｂ、２ｃが、それぞれの直ぐ後側のパイプ部材２ｂ、２ｃ、２ｄにスライド自在に内嵌されている。使用時には、図１（ａ）に示すように、各パイプ部材２ａ、２ｂ、２ｃを前方に繰り出すことにより柄部２が伸長され、不使用時には、図１（ｂ）に示すように、各パイプ部材２ａ、２ｂ、２ｃを後方へ押し込むことにより、柄部２がコンパクトに縮められる。前方から２番目のパイプ部材２ｂの先端側には、後述する照明器具５のスイッチ手段を構成する押し部材９が取り付けられている。
【００１６】
図２に拡大して示すように、前記連結具３は、前方を向く段差面３ａが設けられた前後方向で上下の段差を有し、後端側の上部に柄部２の１番先端側のパイプ部材２ａがねじ部材４ａで連結され、段差面３ａの下側で前方に張り出す前端側に、取込網１の開口部を形成する枠１ａがねじ部材４ｂで連結されている。したがって、取込網１の取り付け位置が柄部２の軸心から下方へずれ、その重心も柄部２の軸心から下方へずれているので、使用時に取込網１の枠１ａが自然に水平に保たれる。
【００１７】
前記連結具３の段差面３ａには、前方の取込網１に向けた照明器具５が取り付けられ、その後側に形成された筒状の収納部３ｂに、照明器具５の電源となる乾電池６が収納されている。この照明器具５は、豆電球５ａの光を凹反射板５ｂで前方へ向けるものである。また、収納部３ｂの後側の上部にはスイッチケース７が設けられ、スイッチケース７の中に、照明器具５と乾電池６の接続を入切するスイッチ８が設けられている。スイッチ８は固定端子８ａと可動端子８ｂで形成されている。
【００１８】
図３に示すように、前記柄部２が縮められて１番先端側のパイプ部材２ａが２番目のパイプ部材２ｂに押し込まれると、２番目のパイプ部材２ｂに取り付けられた押し部材９の前端の突出部９ａが可動端子８ｂを前方へ傾動させ、自動的にスイッチ８を切とする。また、図２に示したように、柄部２が伸長されて１番先端側のパイプ部材２ａが２番目のパイプ部材２ｂから繰り出されると、スイッチ８が押し部材９から前方へ逃げて、傾動した可動端子８ｂが元の状態に戻り、自動的にスイッチ８が入となる。したがって、たも網を使用するときに、両手が塞がった状態で照明器具５を点灯することができる。
【００１９】
また、前記連結具３の側面にはパイロットランプ１０が設けられ、このパイロットランプ１０を手動で入切する押釦スイッチ１１が、スイッチケース７の上面に取り付けられている。図示は省略するが、パイロットランプ１０は照明器具５と並列で乾電池６に接続され、押釦スイッチ１１は、照明器具５の電源も入切するメインスイッチとされている。したがって、たも網の不使用時に押釦スイッチ１１を入としてパイロットランプ１０を点灯しておくことによって、暗闇中でもたも網を容易に見付けることができる。また、明るい昼間は押釦スイッチ１１を切とすることにより、柄部２を伸長しても照明器具５が点灯しないようにすることができる。
【００２０】
上述した実施形態では、照明器具の電源を乾電池とし、照明器具と電源を柄部と取込網の連結具に設けたが、照明器具と電源は柄部に設けることもでき、連結具は省略することもできる。電源はボタン電池等とすることもできる。
【００２１】
また、上述した実施形態では、柄部が伸縮するときに照明器具を自動的に入切するスイッチ手段を、固定端子に対して可動端子を傾動させるものとしたが、このスイッチ手段は、柄部の伸縮に伴って自動的に入切するものであればよく、例えば、固定端子に対して可動端子をスライドさせて入切するものとすることもできる。
【図面の簡単な説明】
【００２２】
【図１】ａはたも網の実施形態を示す正面図、ｂはａのたも網の柄部を縮めた状態を示す正面図
【図２】図１の要部を拡大して示す縦断面図
【図３】図２のスイッチを切とした状態を示す縦断面図
【符号の説明】
【００２３】
１  取込網
１ａ  枠
２  柄部
２ａ、２ｂ、２ｃ、２ｄ  パイプ部材
３  連結具
３ａ  段差面
３ｂ  収納部
４ａ、４ｂ  ねじ部材
５  照明器具
５ａ  豆電球
５ｂ  凹反射板
６  乾電池
７  スイッチケース
８  スイッチ
８ａ  固定端子
８ｂ  可動端子
９  押し部材
１０  パイロットランプ
１１  押釦スイッチ
【図１】
2010011763.tif 000003
【図２】
2010011763.tif 000004
【図３】
2010011763.tif 000005